(57)【特許請求の範囲】
【請求項１】
横編機の針床に沿って往復走行するキャリッジの地板に搭載され、針床に並設されて前後に二つのバットをそれぞれ有する編針に対し、編目編成動作および目移しの渡し動作させるために、キャリッジの地板面からフル高さとなるカム面が外側の前縁に設けられる大略的に山型のレイジングカムを含む編成用カム装置の一部として、レイジングカムの内側に設けられて、後バットの上端がフル高さよりも低いハーフ高さの表面に当接しながら、後バットの後端がフル高さのカム面で案内されるように作用し、編針を目移しの受け針として動作させるための目移し受け針用カム装置において、
前縁がカム面となる山型の形状で、後バットの後端に当接して前進させ、レイジングカムと同等の高さを有する中間カムと、
中間カムの頂部付近の両側に配置され、前縁側にカム面が形成され、基端側に有する地板の表面に並行な揺動軸まわりの揺動変位で、遊端側が地板に対して出没し、遊端側には、地板から突出する状態となるときに、レイジングカムの表面と同等の高さとなる表面、および表面に連なる傾斜面が設けられる、一対の目移し受けカムと、
各目移し受けカムにそれぞれ設けられ、各目移し受けカムの遊端側が地板に対して突出状態となるように付勢するばねと、
を含み、
レイジングカムの裏面側には、
底面を有する凹部と、
揺動軸を揺動変位可能に支持し、キャリッジの走行方向に間隔をあけて設けられる支持長穴とを有し、
目移し受けカムは、表面側に、基端部と遊端部との中間部から遊端部側にかけて、地板に対する突出状態でレイジングカムの凹部の底面に当接する当り面を有する
ことを特徴とする目移し受け針用カム装置。
【請求項２】
前記一対の目移し受けカムが遊端側を相互に接近させるように配置されていることを特徴とする請求項１記載の目移し受け針用カム装置。
【発明の詳細な説明】
【技術分野】
【０００１】
本発明は、横編機の針床に沿って往復走行するキャリッジに搭載され、目移しの受け針を駆動する目移し受け針用カム装置に関する。
【背景技術】
【０００２】
従来から、歯口を挟む両側に針床を備える横編機では、各針床に備えられる多数の編針を選択的に駆動して編目を編成するとともに、針床間の目移しも併用することで、多様な組織の編地を編成可能になっている。各針床には、歯口に進退する方向に編針を摺動変位可能に収容する針溝が並設されている。各針溝に収容される編針からは、針床の表面にバットが突出し、針溝が並ぶ方向に沿って往復移動するキャリッジに搭載されるカム装置がバットに作用して、編針が駆動される。キャリッジに搭載されるカム装置では、編目の編成動作とともに、目移しの動作も可能にして、コンパクト化が図られている（たとえば、特許文献１および特許文献２参照）。【０００３】
図４は、編成動作とともに、目移しの動作も可能な編針１の構成を示す。編針１は、べら針であり、歯口に臨む先端側の針本体２に、編目を係止するフック３と、フック３を開閉するラッチ４とを備える。針本体２には、基端側に針本体ジャック５が連結され、一側方に目移し片６が付加されている。なお、以下の説明では、歯口に進出する方向を前として、および歯口から退入する方向を後として、前後を表示する。また丸印は、針溝を貫通するように針床に設けられるワイヤを示す。【０００４】
ニードルジャック５には、後バット７および前バット８が間隔をあけて設けられてい  る。ニードルジャック５は、大略的に弧状であり、尾端が針溝の底部に当接し、中間部は弾発的に針溝から浮上するように付勢される。ニードルジャック５が浮上する状態で、後バット７は上端側が針溝から突出し、キャリッジに搭載されるカム装置の作用を受ける状態となる。前バット８は、常に上端側が針溝から突出する。ニードルジャック５の針溝内での浮沈は、セレクトジャック９の選択用バット１０への押圧状態によって切換えられる。選択用バット１０の押圧状態は、セレクタ１１によって切換えられるセレクトジャック９の軌道に配置されるプレッサに応じて変化する。セレクタ１１には、後退させるための下げ用バット１２および前進させるための上げ用バット１３とともに、選針用バット１４が設けられている。選針用バット１４は、複数の位置のうちの一つに、隣接する編針１とは位置が異なるように、選択的に設けられる。【０００５】
図５は、編針１の後バット７および前バット８に作用して、編成動作および目移し動作を行わせるカム装置２０の主要部分の構成を、キャリッジの走行方向が横方向となるようにして示す。カム装置２０は、走行方向が左右のいずれであっても編針１に同等の動作を行わせることができ、キャリッジが針床に臨む側の地板の表面に１または複数が搭載される。カム装置２０が複数搭載される場合は、図の横方向に並ぶ。１つのカム装置２０には、渡し受け両用目移しカム２１、固定レイジングカム２２、および可動レイジングカム２３が中央部分に設けられ、ステッチカム２４が走行方向の両側に設けられる。渡し受け両用目移しカム２１および可動レイジングカム２３はキャリッジの地板の表面から出没する可動式のカムであり、編成動作では可動レイジングカム２３が突出し、目移し動作では渡し受け両用目移しカム２１が突出するように、それぞれ切換えられる。一方のカムが突出すると他方のカムは没入する。【０００６】
固定レイジングカム２２の中央部分には、キャリッジの地板面に近い高さの凹所２５を有する目移し受け針用カム装置２６が形成される。目移し受け針用カム装置２６には、キャリッジの地板面からの高さが固定レイジングカム２２と同等な山形のフル高さカム２７が含まれる。フル高さカム２７の頂部の両側には、地板の表面からの高さがフル高さカム２７よりも低い、ハーフ高さカム２８が設けられる。キャリッジの地板面付近からハーフ高さカム２８までは、傾斜面２９で連続的に高さが変化する。このような目移し受け針用カム装置２６は、編針１の後バット７に作用して、受け針側の目移し動作を行わせる。【０００７】
渡し受け両用目移しカム２１は、突出状態で、編針１の前バット８に作用し、前縁２１ａでは渡し針側の前進動作を行わせ、後縁２１ｂでは受け針側の後退動作を行わせる。渡し針と受け針との動作は、セレクトジャック９の選択用バット１０が通過する軌道に応じて切換えられる。渡し受け両用目移しカム２１の前縁２１ａの前方には、渡し針側の後退動作を行わせる固定のガイドカム３０が設けられる。【０００８】
図示を省略している選針機構でのセレクタ１１に対する選針動作で、選択用バット１０は、前進しているＡポジション１０ａ、中間のＨポジション１０ｈ、および基底のＢポジション１０ｂのいずれかに切換えられる。Ａポジション１０ａには、プレッサが配置されていない。Ｈポジション１０ｈには、タックプレッサ３１およびハーフプレッサ３２が配置される。タックプレッサ３１およびハーフプレッサ３２は出没制御可能な可動式のプレッサである。Ｂポジション１０ｂには、固定プレッサ３３が配置される。目移し時にはタックプレッサ３１を没入させ、ハーフプレッサ３２を突出させておく。【０００９】
目移し時に編針１がＡポジション１０ａに選針されると、たとえばキャリッジの左行時に、後バット７は、固定レイジングカム２２の側方のカム面２２ａに沿って前進する軌跡７ａを通るように案内される。後バット７が前進して固定レイジングカム２２のカム面２２ａの頂部に達すると、前バット８が渡し受け両用目移しカム２１の前縁２１ａの基部に達し、軌跡８ａを通って編針１はさらに前進して、渡し針としての動作を行う。可動レイジングカム２３は没入状態になっているので、後バット７の軌跡７ａは可動レイジングカム２３の位置を通過することができる。このような軌跡７ａ，８ａに相当する動作で、渡し針となる編針１のフック３に係止している編目は、針本体２の歯口への前進に応じて、針幹に沿って目移し片６の位置まで後退する。対向する針床から受け針となる編針１が歯口に進出して、受け針のフック３が渡し針の目移し片６内に侵入し、渡し針が歯口から後退すると、編目を受け針のフック３に移すことができる。【００１０】
図６は、目移し受け針用カム装置２６の近傍部分を拡大した構成と、さらに前方から見た側面構成２６ａとを示す。図５および図６を参照して、編針１がＨポジション１０ｈに選針されると、選択用バット１０がハーフプレッサ３２で押圧されるので、後バット７の軌跡７ｈは、固定レイジングカム２２の側方のカム面２２ａを通過し、傾斜面２９を通って、地板３５からＨの高さとなるハーフ高さカム２８の表面に至る。後バット７の後端は、ハーフ高さカム２８の表面上で、地板３５からＦの高さとなるフル高さカム２７の前縁のカム面２７ａに当接する。後バット７は、カム面２７ａの傾斜に沿う軌跡７ｈで前進し、山型のフル高さカム２７の頂部に至る。フル高さカム２７の頂部付近には、ハーフ高さカム２８が設けられていないので、後バット７は、ハーフ高さカム２８の表面から凹所２５に進出し、後バット７の後端がハーフ高さカム２８の前縁のカム面２８ａに当接して、軌跡７ｈを通るように前進する。編針１が受け針となるときの前バット８の軌跡８ｈとして示すように、受け針としての後退動作は、渡し受け両用目移しカム２１の後縁２１ｂで前バット８の前端が案内されて行われる。なお、固定レイジングカム２２には、凹所２５を設けずに、ハーフ高さカム２８のカム面２８ａを地板３５まで形成するようにしてもよい。
【特許文献１】特公昭６２−３７１４２号公報
【特許文献２】国際公開第０７／０７４９４４号パンフレット
【発明の開示】
【発明が解決しようとする課題】
【００１１】
図６の側面構成２６ａとして示すように、目移し時の受け針では、先行側で、後バット７の上端がハーフ高さカム２８の表面に当接しながら、後バット７の後端がフル高さカム２７のカム面２７ａで案内される。フル高さカム２７の前縁は、大略的に山型の形状を有し、前縁に形成されるカム面２７ａは、中央部分が前方に突出するように傾斜しているので、受け針は前進する。軌跡７ｈに沿う後バット７の経路は、フル高さカム２７の頂部付近で、ハーフ高さカム２８の表面から凹所２５の底面に地板３５からの高さが段階的に変化して段差Ｄが生じる。後バット７が段差Ｄの部分を通過する際には、後バット７の上端への押圧が解除されるので、ニードルジャック５は弾発力によって針溝内で浮上し、後バット７が針溝表面からさらに突出する。後バット７は、凹所２５内に侵入してから、先端がハーフ高さカム２８の表面よりも地板３５表面に近くなるまで突出する。凹所２５内で突出した後バット７は、後端がハーフ高さカム２８のカム面２８ａによる案内を受けて前進する。このような段差Ｄは、キャリッジの往復の両方で、後バット７が先行側のハーフ高さカム２８では表面を通過し、後行側のハーフ高さカム２８では前縁のカム面２８ａによる案内を受けるようにするために設けられている。しかしながら、フル高さＦ内に段差Ｄが設けられるので、カム面２７ａ，２８ａに対する後バット７の掛り代２７ｂ，２８ｂは少なくなってしまう。掛り代２７ｂ，２８ｂが少ないと、カム面２７ａ，２８ａが後バット７に作用する力が集中し、過大な応力が発生して疲労しやすくなったり、損傷や焼き付きが発生するおそれがある。【００１２】
とくに、生産性を高めるためにキャリッジの走行速度を上昇させるような場合は、段差Ｄの部分で、ニードルジャック５の弾発力に基づく突出が充分に行われないうちに、後バット７の後端がハーフ高さカム２８のカム面２８ａに当接し、実質的な掛り代はさらに少なくなってしまう。また、後バット７の突出が間に合わずに、後バット７が本来の軌跡７ｈから逸脱し、カム面２８ａを乗越えて通過してしまうおそれもある。【００１３】
本発明の目的は、後バットが段差の部分を円滑に通過し、通過後のカム面での掛り代を充分に確保して、確実な案内を行うことができる目移し受け針用カム装置を提供することである。
【課題を解決するための手段】
【００１４】
本発明は、横編機の針床に沿って往復走行するキャリッジの地板に搭載され、針床に並設されて前後に二つのバットをそれぞれ有する編針に対し、編目編成動作および目移しの渡し動作させるために、キャリッジの地板面からフル高さとなるカム面が外側の前縁に設けられる大略的に山型のレイジングカムを含む編成用カム装置の一部として、レイジングカムの内側に設けられて、後バットの上端がフル高さよりも低いハーフ高さの表面に当接しながら、後バットの後端がフル高さのカム面で案内されるように作用し、編針を目移しの受け針として動作させるための目移し受け針用カム装置において、
前縁がカム面となる山型の形状で、後バットの後端に当接して前進させ、レイジングカムと同等の高さを有する中間カムと、
中間カムの頂部付近の両側に配置され、前縁側にカム面が形成され、基端側に有する地板の表面に並行な揺動軸まわりの揺動変位で、遊端側が地板に対して出没し、遊端側には、地板から突出する状態となるときに、レイジングカムの表面と同等の高さとなる表面、および表面に連なる傾斜面が設けられる、一対の目移し受けカムと、
各目移し受けカムにそれぞれ設けられ、各目移し受けカムの遊端側が地板に対して突出状態となるように付勢するばねと、
を含み、
レイジングカムの裏面側には、
底面を有する凹部と、
揺動軸を揺動変位可能に支持し、キャリッジの走行方向に間隔をあけて設けられる支持長穴とを有し、
目移し受けカムは、表面側に、基端部と遊端部との中間部から遊端部側にかけて、地板に対する突出状態でレイジングカムの凹部の底面に当接する当り面を有する
ことを特徴とする目移し受け針用カム装置である。
【００１５】
また本発明で、前記一対の目移し受けカムが遊端側を相互に接近させるように配置されていることを特徴とする。
【発明の効果】
【００１７】
本発明によれば、一対の目移し受けカムがキャリッジの走行方向の一方側と他方側とに分けて設けられる。先行側となる目移し受けカムは、表面が後バットで押圧されれば沈むので、山型の中間カムで前進して、ばね付勢で突出する状態を保つ後行側の目移し受けカムのカム面で案内される状態に移行する部分での段差を減少または解消させて、円滑に通過させることができる。後バットの後端に当接して駆動する後行側の目移し受けカムのカム面での掛り代を充分に確保し、確実な案内を行うことができる。目移し受けカムの出没は、ばね付勢と通過する後のバットによる押圧とによって行われるので、機構を簡易化して、キャリッジの地板上にもコンパクトに配置することができる。目移し受けカムは、基端部と遊端部との中間部から遊端部側にかけて、突出状態でレイジングカムの凹部の底面に当接する当り面を有するので、突出しすぎないように抑制することができる。【００１８】
また本発明によれば、一対の目移し受けカムの遊端側を相互に接近させることによって、後バットの上端で先行側の目移し受けカムの遊端側のカム面を押圧する状態から、後バットの後端が突出状態の後行側目移し受けカムのカム面に当接して案内される状態への切換えを円滑に行わせることができる。
【図面の簡単な説明】
【００２０】
【図１】図１は、本発明の実施の一形態として、目移し受け針用カム装置４０の概略的な構成を示す平面図および側面図である。
【図２】図２は、図１の左側の目移し受けカム４６の平面図、正面図および右側面図である。
【図３】図３は、図１の固定レイジングカム４２の平面図、側面断面図および背面図である。
【図４】図４は、編成動作とともに、目移しの動作も可能な従来からの編針１の構成を示す側面図である。
【図５】図５は、編針１の後バット７および前バット８に作用して、編成動作および目移し動作を行わせる従来からのカム装置２０の主要部分の構成を示す平面図である。
【図６】図６は、図５の目移し受け針用カム装置２０の概略的な構成を示す平面図および側面図である。
【符号の説明】
【００２１】
１  編針
７  後バット
８  前バット
４０  目移し受け針用カム装置
４２  固定レイジングカム
４２ａ，４２ｂ  カム面
４２ｃ  中間カム
４２ｄ  支持長穴
４６  目移し受けカム
４６ａ  カム面
４６ｂ  揺動軸
４６ｃ  表面
４６ｄ，４６ｅ  傾斜面
４６ｆ  ばね受け穴
４７  圧縮ばね
【発明を実施するための最良の形態】
【００２２】
図１は、本発明の実施の一形態として、目移し受け針用カム装置４０の概略的な構成を示す。目移し受け針用カム装置４０は、図５および図６に示す目移し受け針用カム装置２６に置換えて、図５のカム装置２０に使用し、図４に示すような編針１を駆動することができる。図１でも、図６と同様に、目移し受け針用カム装置４０の主要部分の構成と、前方から見た側面構成４０ａとを対応させる状態で示す。【００２３】
図１に示す目移し受け針用カム装置４０は、キャリッジの地板３５上に取付けられる固定レイジングカム４２の内側に組込まれる。固定レイジングカム４２の外側の前縁には、カム面４２ａが設けられる。固定レイジングカム４２の中央付近の部分には、前縁がカム面４２ｂとなる山型の形状で、後バット７の後端に当接して前進させる中間カム４２ｃが形成されている。中間カム４２ｃの頂部付近の両側には、一対の目移し受けカム４６が配置される。目移し受けカム４６は、前縁側にカム面４６ａが形成され、基端側の揺動軸４６ｂが固定レイジングカム４２の裏面側に形成される支持長穴４２ｄに嵌合して、地板３５の表面に平行な揺動軸４６ｂまわりで、遊端側が地板３５に対して出没する揺動変位が可能な状態で支持される。目移し受けカム４６の遊端側には、揺動変位でキャリッジの地板３５から突出する状態となるときに、固定レイジングカム４２の表面と同等の高さとなる表面４６ｃと、表面４６ｃに連なる傾斜面４６ｄ，４６ｅとが設けられる。表面４６ｃや傾斜面４６ｄが設けられる目移し受けカム４６の遊端側の裏面側に形成されるばね受け穴４６ｆには、キャリッジの地板３５との間に、圧縮ばね４７が挿入され、遊端側が地板３５から突出するように付勢する。なお、地板３５にも、目移し受けカム４６を収容する凹部３５ａが形成されている。【００２４】
目移し時に、たとえばキャリッジが左行すると、受け針となる編針１の後バット７は、軌跡７Ｈとして示すように、目移し受け針用カム装置４０に対して相対的に移動する。先行側となる左側の目移し受けカム４６に対しては、後バット７の上端の前端が傾斜面４６ｄに掛って、後バット７の後端が中間カム４２ｃの前縁のカム面４２ｂでの案内で前進するように駆動される。なお、後バット７が目移し受けカム４６に掛る位置は、図よりも前方になる場合もある。この場合は、傾斜面４６ｄではなく、傾斜面４６ｅから表面４６ｃを通る経路で、後バット７はカム面４２ｂに接近する。後バット７の前進で、圧縮ばね４７の付勢力に抗して傾斜面４６ｄ，４６ｅは押圧され、目移し受けカム４６は遊端側が沈み、後バット７の上端が目移し受けカム４６の表面４６ｃに当接する状態となる。中間カム４２ｃの頂部付近では、目移し受けカム４６の表面４６ｃが後バット７の上端で押圧されてキャリッジの地板３５側に沈む。後バット７は、後行側の目移し受けカム４６の遊端側に移動すると、カム面４６ａよりも前進して、上端は地板３５に臨む。先行側の目移し受けカム４６の遊端側の表面４６ｃは沈むので、中間カム４２ｃの頂部付近を後バット７が通過する際の段差を小さくしたり、あるいは解消させることができる。段差が小さくなるので、キャリッジが高速で走行するようになっても、円滑な通過が可能となる。【００２５】
さらに軌跡７Ｈに沿う後バット７の移動で中間カム４２ｃの頂部を過ぎると、後バット７の後端は右側の目移し受けカム４６のカム面４６ａに当接し、カム面４６ａによる案内を受ける。後行側となる右側の目移し受けカム４６は、圧縮ばね４７による付勢で、遊端側が地板３５から突出している。地板３５からのカム面４６ａの高さは、固定レイジングカム４２の表面の高さ、すなわち中間カム４２ｃの前縁に形成されるカム面４２ｂの高さと同等となる。中間カム４２ｃのカム面４２ｂから後行側の目移し受けカム４６のカム面４６ａに移行する間の段差は小さくなるので、キャリッジが高速で走行するようになっても、移行を円滑に行わせることができる。【００２６】
図２は、図１の左側の目移し受けカム４６の形状を、平面、正面および右側面側から見てそれぞれ示す。右側の目移し受けカム４６も、基本的に対称となる同等の形状を有する。目移し受けカム４６の遊端側の裏面側には、圧縮ばね４７の先端を収容するばね受け穴４６ｆが設けられ、先端に、図１の左側に示す没入状態で、地板３５の凹部３５ａの底面と当接する平坦な当り面４６ｇが設けられる。目移し受けカム４６の表面側には、中間部から遊端側にかけて、固定レイジングカム２２の裏面側に対する突出状態での平坦な当り面４６ｈも設けられる。当り面４６ｇは、揺動変位で地板３５側に沈むときに、平坦な凹部３５ａの底面に当接するように、当り面４６ｈに対して傾斜している。【００２７】
図３は、図１の固定レイジングカム４２の形状を、平面、側断面および背面側から見てそれぞれ示す。上方には平面、下方には背面の形状をそれぞれ示し、中間の側断面は、平面形状中に示す切断面線Ｃ−Ｃから見る状態で示す。固定レイジングカム４２は大略的に板状であり、外側のカム面４２ａと中間カム４２ｃのカム面４２ｂとは、同等の高さを有している。裏面側には、目移し受けカム４６の基端側の揺動軸４６ｂを収容して揺動変位可能に支持する支持長穴４２ｄが走行方向に間隔をあけて設けられる。また、目移し受けカム４６が突出状態で、当り面４６ｈが当接する底面を有する凹部４２ｅも、固定レイジングカム４２の裏面側に設けられる。【００２８】
一対の目移し受けカム４６のうち、先行側の目移し受けカム４６は、後バット７が最初に通過する前には、圧縮ばね４７による付勢で地板３５から突出している。揺動変位可能に支持長穴４２ｄで揺動軸４６ｂが支持される基端側からの後バット７の通過でまず傾斜面４６ｄが押圧を受けて揺動変位し、遊端側が地板３５側に沈む。さらに、後バット７の上端で表面４６ｃが押圧を受けて、後バット７が目移し受けカム４６の遊端側を通る際に、確実に没入させることができる。一対の目移し受けカム４６の基端側となる揺動軸４６ｂをキャリッジの走行方向に間隔をあけて支持し、遊端側を相互に接近させることによって、後バット７で先行側を押圧する状態から、突出状態の後行側のカム面４６ａに当接して案内される状態への切換えを円滑に行わせることができる。【００２９】
なお、固定レイジングカム４２の一部に中間カム４２ｃを設けるようにしているけれども、中間カム４２ｃに相当するカムを固定レイジングカム４２とは独立して設けるようにすることもできる。また、目移し受けカム４６では、基端側と遊端側とが走行方向に配置されているけれども、走行方向と交差する方向に配置されていても、傾斜面４６ｄ，４６ｅなどの方向を調整すれば、目移し受けカム４６と同等に近い状態で遊端側を出没させることができる。
【図１】
0005543925.tif 000002
【図２】
0005543925.tif 000003
【図３】
0005543925.tif 000004
【図４】
0005543925.tif 000005
【図５】
0005543925.tif 000006
【図６】
0005543925.tif 000007